(57)【特許請求の範囲】
【請求項１】
目的書類に表された画像情報を電子化するためのスキャナー装置であって、
スキャン濃度の初期設定値をテキスト領域、写真領域または図形領域について入力するための入力手段、
前記入力手段によってテキスト領域に適した濃度に設定したスキャン濃度にて目的書類を電子化してテキスト濃度データとし、一旦保存する第一記憶手段、
前記第一記憶手段に記憶されたテキスト濃度データに対してテキスト領域と他の領域とに分解する第一演算手段、
前記テキスト濃度データにテキスト以外の領域がある場合に、当該領域に適したスキャン濃度にて目的書類を電子化して非テキスト濃度データとし、一旦保存する第二記憶手段、
テキスト濃度データにおけるテキスト以外の領域に、非テキスト濃度データをオーバーライトして合成データとする第二演算手段、
前記合成データまたは前記テキスト濃度データにテキスト以外の領域がない場合のテキスト濃度データを確認用ディスプレイに画像表示する確認用出力手段、
前記確認用出力手段によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手段、
および前記修正濃度データを合成データまたはテキスト以外の領域がない場合のテキスト濃度データにオーバーライトして修正合成データとする第三演算手段を備え、
前記確認用出力手段は、前記第三演算手段により修正合成データが生成された場合には修正合成データを確認用ディスプレイに画像表示することが可能であるように形成したことを特徴とするスキャナー装置。
【請求項２】
目的書類に表された画像情報を電子化するためのスキャナー装置であって、
スキャン濃度の初期設定値をテキスト領域、写真領域または図形領域について入力するための入力手段、
前記入力手段によって図形領域に適した濃度に設定したスキャン濃度にて目的書類を電子化して第一データとし、一旦保存する第一記憶手段、
前記第一記憶手段に記憶された第一データに対して図形領域と他の領域とに分解する第一演算手段、
前記第一データに図形以外の領域がある場合に、当該領域に適したスキャン濃度にて電子化した第二データとし、一旦保存する第二記憶手段、
前記第一データにおける図形以外の領域に、前記第二データをオーバーライトして合成データとする第二演算手段、
前記合成データまたは前記第一データに図形以外の領域がない場合の第一データを確認用ディスプレイに画像表示する確認用出力手段、
前記確認用出力手段によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手段、
およびその修正濃度データを合成データまたは図形以外の領域がない場合の第一データにオーバーライトして修正合成データとする第三演算手段を備え、
前記確認用出力手段は、前記第三演算手段により修正合成データが生成された場合には修正合成データを確認用ディスプレイに画像表示することが可能であるように形成したことを特徴とするスキャナー装置。
【請求項３】
第一記憶手段、第二記憶手段、および第三記憶手段は、
単独の記憶装置と、その記憶装置の記憶および消去を制御する記憶装置制御部とを備えたものとしたことを特徴とする請求項１または請求項２のいずれかに記載のスキャナー装置。
【請求項４】
目的書類に表された画像情報を電子化するための書類スキャン方法であって、
スキャン濃度の初期設定値をテキスト領域、写真領域または図形領域について入力するための入力手順、
前記入力手順によってテキスト領域に適した濃度に設定したスキャン濃度にて目的書類を電子化してテキスト濃度データとし、一旦ファイルに保存する第一記憶手順、
前記第一記憶手順にて記憶されたテキスト濃度データに対してテキスト領域と他の領域とに分解する第一演算手順、
前記テキスト濃度データにテキスト以外の領域がある場合に、当該領域に適したスキャン濃度にて目的書類を電子化して非テキスト濃度データとし、一旦保存する第二記憶手順、
前記テキスト濃度データにおけるテキスト以外の領域に、非テキスト濃度データをオーバーライトして合成データとする第二演算手順、
前記合成データまたは前記テキスト濃度データにテキスト以外の領域がない場合のテキスト濃度データを確認用ディスプレイに画像表示する確認用出力手順、
前記確認用出力手順にて確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、
前記修正濃度データを合成データまたはテキスト以外の領域がない場合のテキスト濃度データにオーバーライトして修正合成データとする第三演算手順と、
および、前記第三演算手順により修正合成データが作成された場合に前記修正合成データを確認用ディスプレイに画像表示する修正合成データ出力手順を備えたことを特徴とする書類スキャン方法。
【請求項５】
目的書類に表された画像情報を電子化するための書類スキャン方法であって、
スキャン濃度の初期設定値をテキスト領域、写真領域または図形領域について入力するための入力手順、
前記入力手順によって図形領域に適した濃度に設定したスキャン濃度にて目的書類を電子化した第一データとし、一旦保存する第一記憶手順、
前記第一記憶手順にて記憶された第一データに対して図形領域と他の領域とに分解する第一演算手順、
前記第一データに図形以外の領域がある場合に、当該領域に適したスキャン濃度にて電子化した第二データとし、一旦保存する第二記憶手順、
第一データにおける図形以外の領域に、前記第二データをオーバーライトして合成データとする第二演算手順、
前記合成データまたは前記第一データに図形以外の領域がない場合の第一データを確認用ディスプレイに画像表示する確認用出力手順、
その確認用出力手順によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、
その修正濃度データを合成データまたは図形以外の領域がない場合の第一データにオーバーライトして修正合成データとする第三演算手順、
および、前記第三演算手順により修正合成データが作成された場合に前記修正合成データを確認用ディスプレイに画像表示する修正合成データ出力手順を備えたことを特徴とする書類スキャン方法。
【請求項６】
目的書類に表された画像情報を電子化するためのスキャナー装置を制御するためのプログラムを記録した媒体であって、
スキャン濃度の初期設定値をテキスト領域、写真領域または図形領域について入力するための入力手順、
前記入力手順によってテキスト領域に適した濃度に設定したスキャン濃度にて目的書類を電子化してテキスト濃度データとし、一旦ファイルに保存する第一記憶手順、
前記第一記憶手順にて記憶されたテキスト濃度データに対してテキスト領域と他の領域とに分解する第一演算手順、
前記テキスト濃度データにテキスト以外の領域がある場合に、当該領域に適したスキャン濃度にて目的書類を電子化して非テキスト濃度データとし、一旦保存する第二記憶手順、
テキスト濃度データにおけるテキスト以外の領域に、非テキスト濃度データをオーバーライトして合成データとする第二演算手順、
前記合成データまたは前記テキスト濃度データにテキスト以外の領域がない場合のテキスト濃度データを確認用ディスプレイに画像表示する確認用出力手順、
前記確認用出力手順にて確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、
前記修正濃度データを合成データまたはテキスト以外の領域がない場合のテキスト濃度データにオーバーライトして修正合成データとする第三演算手順、
および、前記第三演算手順により修正合成データが作成された場合に前記修正合成データを確認用ディスプレイに画像表示する修正合成データ出力手順をコンピュータに実行させるためのプログラムを記録したコンピュータ読み取り可能な記録媒体。
【請求項７】
目的書類に表された画像情報を電子化するためのスキャナー装置を制御するためのプログラムを記録した媒体であって、
スキャン濃度の初期設定値をテキスト領域、写真領域または図形領域について入力するための入力手順、
前記入力手順によって図形領域に適した濃度に設定したスキャン濃度にて目的書類を電子化した第一データとし、一旦保存する第一記憶手順、
前記第一記憶手順にて記憶された第一データに対して図形領域と他の領域とに分解する第一演算手順、
前記第一データに図形以外の領域がある場合に、当該領域に適したスキャン濃度にて電子化した第二データとし、一旦保存する第二記憶手順、
第一データにおける図形以外の領域に、前記第二データをオーバーライトして合成データとする第二演算手順、
前記合成データまたは前記第一データに図形以外の領域がない場合の第一データを確認用ディスプレイに画像表示する確認用出力手順、
前記確認用出力手順によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、
前記修正濃度データを合成データまたは図形以外の領域がない場合の第一データにオーバーライトして修正合成データとする第三演算手順、
および、前記第三演算手順手段により修正合成データが生成された場合には前記修正合成データを確認用ディスプレイに画像表示する修正合成データ出力手順をコンピュータに実行させるためのプログラムを記録したコンピュータ読み取り可能な記録媒体。
【発明の詳細な説明】
【０００１】
【発明が属する技術分野】
この発明は、スキャナー装置およびそれに用いる書類スキャン技術、更に詳しくは、テキスト・写真・図形という複数種類の情報が不規則に配置され複数ページとなる論文・技術雑誌といった書類の読み取りを、領域毎に適した濃度で行うことができる技術に関するものである。
【０００２】
【先行技術】
近年、書類の電子化技術として、スキャナー装置が提供されている。電子化したい書類には、写真または図形と文字とが混在する場合、文字に合わせた読み込みを行うと写真が黒く塗りつぶれて入力されてしまい、写真に合わせた読み込みを行うと文字がかすれてしまうという問題点があった。
【０００３】
その問題点への対策としては、いわゆる写真モードと呼ばれる読み込みモードで中間色に対応させるという手段が一般的であった。また、ＣＤ−ＲＯＭ公報の利用により、以下の検索式で平成５年以後の特許出願公開文献を調査し、その結果、特許出願１２３件を抽出した。検索式 ： 調整×写真×スキャナー×文字×画像処理×領域×濃度×H04Nそこで、関連技術として発見した技術は特開平８−１８７７７号であり、写真、図形、文字といった各領域を識別して適切なフィルターをかけることを特徴とするものであった。
【０００４】
【発明が解決しようとする課題】
しかし、上記した技術では、以下のような問題点があった。まず、写真モードと呼ばれる読み込みモードで中間色に対応させるという手段では、有彩色の文字を色の薄いデータとして読み込む場合がある。その場合に当該文字を基準とした濃度補正を行うと、写真や図形の濃淡がうまく読み込まれない事態が起きてしまうことがある。
【０００５】
また、各領域を識別して適切なフィルターをかけるという手段は、本来的にコピーマシン向けの技術であり、操作性や高速性を重視しているため、領域の識別ミスが起きてしまうことがある。その識別ミスについては、出力前あるいは読み込み後の保存前に確認することができない。本発明が解決すべき課題は、写真または図形と文字とが混在する書類の読み取りを、領域毎に適した濃度で行うことができる技術を提供することにある。
【０００６】
ここで、請求項１ないし請求項３記載の発明の目的は、写真または図形と文字とが混在する書類の読み取りを、領域毎に適した濃度で行うことができるスキャナー装置を提供することである。また、請求項４ないし請求項５記載の発明の目的は、写真または図形と文字とが混在する書類の読み取りを、領域毎に適した濃度で行うことができる書類スキャン方法を提供することである。
【０００７】
また、請求項６ないし請求項７記載の発明の目的は、写真または図形と文字とが混在する書類の読み取り、領域毎に適した濃度で行うことができる書類スキャンプログラムを記録した記録媒体を提供することである。
なお、上記の課題を解決する技術は、前記した先行技術調査によっては発見できなかった。
【０００８】
【課題を解決するための手段】
本発明は、上記した目的を達成するためのものである。
【０００９】
（請求項１）
請求項１記載の発明は、目的書類に表された画像情報を電子化するためのスキャナー装置に係る。
すなわち、スキャン濃度の初期設定値をテキスト領域、写真領域または図形領域について入力するための入力手段、  前記入力手段によってテキスト領域に適した濃度に設定したスキャン濃度にて目的書類を電子化してテキスト濃度データとし、一旦保存する第一記憶手段、  前記第一記憶手段に記憶されたテキスト濃度データに対してテキスト領域と他の領域とに分解する第一演算手段、  前記テキスト濃度データにテキスト以外の領域がある場合に、当該領域に適したスキャン濃度にて目的書類を電子化して非テキスト濃度データとし、一旦保存する第二記憶手段、  テキスト濃度データにおけるテキスト以外の領域に、非テキスト濃度データをオーバーライトして合成データとする第二演算手段、  前記合成データまたは前記テキスト濃度データにテキスト以外の領域がない場合のテキスト濃度データを確認用ディスプレイに画像表示する確認用出力手段、  前記確認用出力手段によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手段、  および前記修正濃度データを合成データまたはテキスト以外の領域がない場合のテキスト濃度データにオーバーライトして修正合成データとする第三演算手段を備え、 前記確認用出力手段は、前記第三演算手段により修正合成データが生成された場合には修正合成データを確認用ディスプレイに画像表示することが可能であるように形成したことを特徴とする。
【００１０】
（用語定義）
「目的書類」とは、文字、図形、写真等の情報を表した紙媒体である。「テキスト領域に適した濃度」とは、図形や写真などに比べると濃いめである。テキスト領域がカラー印刷されている場合などに対応させるため、テキスト用に複数段階の濃度を設定している場合もあり、その場合には自動選択する場合と、ユーザが設定する場合とがあり得る。
「確認用ディスプレイ」とは、モニターや液晶画面などである。
【００１１】
（作用）
まず、入力手段によって、スキャン濃度の初期設定値をテキスト領域、写真領域または図形領域として入力する。その初期設定値のスキャン濃度で目的書類を電子化してテキスト濃度データ(D1)とし、第一記憶手段に一旦保存する。
そのテキスト濃度データ(D1)に対して、第一演算手段がテキスト領域と他の領域とを分解する。テキスト以外の領域がある場合には、当該領域に適したスキャン濃度にて目的書類を電子化して非テキスト濃度データ(D2)とし、第二記憶手段へ一旦保存する。そして、第二演算手段によって、テキスト濃度データ(D1)におけるテキスト以外の領域に、非テキスト濃度データ(D2)をオーバーライトして合成データ(D3)とする。
その合成データ(D3)は、確認用出力手段によって画像表示される。その確認用出力手段によって確認用ディスプレイ表示された画像について、当該スキャナー装置の操作者が適当でないと判断した場合には、領域およびスキャン濃度を再指定して目的書類を電子化した修正濃度データ(D4)とし、第三記憶手段が一旦保存する。その修正濃度データ(D4)を、第三演算手段が合成データ(D3)にオーバーライトして修正合成データ(D5)とする。そしてその修正合成データ(D5)は、確認用出力手段によって画像表示される。
その確認用出力手段によって表示された修正合成データ(D5)による画像について、当該スキャナー装置の操作者が適当でないと判断した場合には、再度、修正濃度データ(D4)とする。確認用出力手段によって表示された修正合成データ(D5)による画像が適当であると認められた場合には、そのまま後の処理を行う。例えば、文字として認識した文字部分を、文字変換ソフトを用いてテキストデータに変換するなどである。
以上のように、請求項１記載の発明に係るスキャナー装置によれば、確認用出力手段による確認が行えるので、写真または図形と文字とが混在する書類の読み取りを、領域毎に適した濃度で行うことが可能となる。
【００１２】
（請求項２）
請求項２記載の発明もまた、  目的書類に表された画像情報を電子化するためのスキャナー装置に係る。
すなわち、  スキャン濃度の初期設定値をテキスト領域、写真領域または図形領域について入力するための入力手段、  前記入力手段によって図形領域に適した濃度に設定したスキャン濃度にて目的書類を電子化して第一データ(D11)とし、一旦保存する第一記憶手段、  前記第一記憶手段に記憶された第一データ(D11)に対して図形領域と他の領域とに分解する第一演算手段、  前記第一データに図形以外の領域がある場合に、当該領域に適したスキャン濃度にて電子化した第二データとし、一旦保存する第二記憶手段、  前記第一データにおける図形以外の領域に、前記第二データをオーバーライトして合成データ(D3)とする第二演算手段、  前記合成データ(D3)または前記第一データに図形以外の領域がない場合の第一データ(D11)を確認用ディスプレイに画像表示する確認用出力手段、  前記確認用出力手段によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データ(D4)とし、一旦保存する第三記憶手段、  およびその修正濃度データ(D4)を合成データまたは図形以外の領域がない場合の第一データ(D11)にオーバーライトして修正合成データ(D5)とする第三演算手段を備え、 前記確認用出力手段は、前記第三演算手段により修正合成データ(D5)が生成された場合には修正合成データ(D5)を確認用ディスプレイに画像表示することが可能であるように形成したことを特徴とする。
【００１３】
（作用）
まず、入力手段によって、スキャン濃度の初期設定値をテキスト領域、写真領域または図形領域について入力する。その初期設定値のスキャン濃度(Z)で目的書類を電子化して第一データ(D11)とし、第一記憶手段に一旦保存する。その第一データ(D11)に対して、第一演算手段が図形領域と他の領域とを分解する。図形以外の領域がある場合には、当該領域に適したスキャン濃度(Y)にて目的書類を電子化して非図形濃度データとし、第二記憶手段へ一旦保存する。そして、第二演算手段によって、第一データ(D11)におけるテキスト領域にテキスト濃度データを、写真領域に写真濃度データをオーバーライトして合成データ(D3)とする。  その合成データ(D3)は、
確認用出力手段によって画像表示される。その確認用出力手段によって確認用ディスプレイ表示された画像について、当該スキャナー装置の操作者が適当でないと判断した場合には、領域およびスキャン濃度を再指定して目的書類を電子化した修正濃度データ(D4)とし、第三記憶手段が一旦保存する。その修正濃度データ(D4)は、第三演算手段が合成データ(D3)にオーバーライトして修正合成データ(D5)とする。そしてその修正合成データ(D5)を一旦保存する。そして、その修正合成データ(D5)は確認用出力手段によって画像表示される。
その確認用出力手段によって表示された修正合成データ(D5)による画像について、当該スキャナー装置の操作者が適当でないと判断した場合には、再度、修正濃度データ(D4)とする。確認用出力手段によって表示された修正合成データ(D5)による画像が適当であると認められた場合には、そのまま後の処理を行う。例えば、文字として認識した文字部分を、文字変換ソフトを用いてテキストデータに変換するなどである。
以上のように、請求項２記載の発明に係るスキャナー装置によれば、確認用ディスプレイによる確認が行えるので、写真または図形と文字とが混在する書類の読み取りを、領域毎に適した濃度で行うことができる。
【００１４】
【００１５】
（請求項３）
請求項３記載の発明は、請求項１または請求項２のいずれかに記載のスキャナー装置を限定したものである。
すなわち、第一記憶手段、第二記憶手段、および第三記憶手段は、  単独の記憶装置と、その記憶装置の記憶および消去を制御する記憶装置制御部とを備えたものとしたことを特徴とする。
【００１６】
（用語説明）ここにいう「記憶装置」とは、ハードディスクドライブ、ＲＡＭなど、データを記憶する装置のことである。
【００１７】
（作用）
記憶装置が単独なので、装置全体の構造をシンプルに形成することができる。
【００１８】
（請求項４）
請求項４記載の発明は、  目的書類に表された画像情報を電子化するための書類スキャン方法に係る。
すなわち、  スキャン濃度の初期設定値をテキスト領域、写真領域または図形領域について入力するための入力手順、  前記入力手順によってテキスト領域に適した濃度に設定したスキャン濃度にて目的書類を電子化してテキスト濃度データとし、一旦ファイルに保存する第一記憶手順、  前記第一記憶手順にて記憶されたテキスト濃度データに対してテキスト領域と他の領域とに分解する第一演算手順、  前記テキスト濃度データにテキスト以外の領域がある場合に、当該領域に適したスキャン濃度にて目的書類を電子化して非テキスト濃度データとし、一旦保存する第二記憶手順、  前記テキスト濃度データにおけるテキスト以外の領域に、非テキスト濃度データをオーバーライトして合成データとする第二演算手順、  前記合成データまたは前記テキスト濃度データにテキスト以外の領域がない場合のテキスト濃度データを確認用ディスプレイに画像表示する確認用出力手順、  前記確認用出力手順にて確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、  前記修正濃度データを合成データまたはテキスト以外の領域がない場合のテキスト濃度データにオーバーライトして修正合成データとする第三演算手順と、  および、修正合成データを確認用ディスプレイに画像表示する修正合成データ出力手順を備えたことを特徴とする。
【００１９】
（請求項５）
請求項５記載の発明は、  目的書類に表された画像情報を電子化するための書類スキャン方法に係る。
すなわち、  スキャン濃度の初期設定値をテキスト領域、写真領域または図形領域について入力するための入力手順、  前記入力手順によって図形領域に適した濃度に設定したスキャン濃度にて目的書類を電子化した第一データとし、一旦保存する第一記憶手順、  前記第一記憶手順にて記憶された第一データに対して図形領域と他の領域とに分解する第一演算手順、  前記第一データに図形以外の領域がある場合に、当該領域に適したスキャン濃度にて電子化した第二データとし、一旦保存する第二記憶手順、  第一データにおける図形以外の領域に、前記第二データをオーバーライトして合成データとする第二演算手順、  前記合成データまたは前記第一データに図形以外の領域がない場合の第一データを確認用ディスプレイに画像表示する確認用出力手順、  その確認用出力手順によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、  その修正濃度データを合成データまたは図形以外の領域がない場合の第一データにオーバーライトして修正合成データとする第三演算手順、  および、修正合成データを確認用ディスプレイに画像表示する修正合成データ出力手順を備えたことを特徴とする。
【００２０】
【００２１】
（請求項６）
請求項６記載の発明は、目的書類に表された画像情報を電子化するためのスキャナー装置を制御するためのプログラムを記録した媒体に係る。
当該プログラムは、  スキャン濃度の初期設定値をテキスト領域、写真領域または図形領域について入力するための入力手順、  前記入力手順によってテキスト領域に適した濃度に設定したスキャン濃度にて目的書類を電子化してテキスト濃度データとし、一旦ファイルに保存する第一記憶手順、  前記第一記憶手順にて記憶されたテキスト濃度データに対してテキスト領域と他の領域とに分解する第一演算手順、  前記テキスト濃度データにテキスト以外の領域がある場合に、当該領域に適したスキャン濃度にて目的書類を電子化して非テキスト濃度データとし、一旦保存する第二記憶手順、  テキスト濃度データにおけるテキスト以外の領域に、非テキスト濃度データをオーバーライトして合成データとする第二演算手順、  前記合成データまたは前記テキスト濃度データにテキスト以外の領域がない場合のテキスト濃度データを確認用ディスプレイに画像表示する確認用出力手順、  前記確認用出力手順にて確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、  前記修正濃度データを合成データまたはテキスト以外の領域がない場合のテキスト濃度データにオーバーライトして修正合成データとする第三演算手順、  および、修正合成データを確認用ディスプレイに画像表示する修正合成データ出力手順をコンピュータに実行させるためのプログラムである。
【００２２】
（請求項７）
請求項７記載の発明は、目的書類に表された画像情報を電子化するためのスキャナー装置を制御するためのプログラムを記録した媒体に係る。
当該プログラムは、スキャン濃度の初期設定値をテキスト領域、写真領域または図形領域について入力するための入力手順、  前記入力手順によって図形領域に適した濃度に設定したスキャン濃度にて目的書類を電子化した第一データとし、一旦保存する第一記憶手順、  前記第一記憶手順にて記憶された第一データに対して図形領域と他の領域とに分解する第一演算手順、  前記第一データに図形以外の領域がある場合に、当該領域に適したスキャン濃度にて電子化した第二データとし、一旦保存する第二記憶手順、  第一データにおける図形以外の領域に、前記第二データをオーバーライトして合成データとする第二演算手順、  前記合成データまたは前記第一データに図形以外の領域がない場合の第一データを確認用ディスプレイに画像表示する確認用出力手順、  前記確認用出力手順によって確認用ディスプレイ表示された画像が適当でないと判断した当該スキャナー装置の操作者から領域およびスキャン濃度の指定の入力を受けると、目的書類を操作者に指定されたスキャン濃度にて電子化して修正濃度データとし、一旦保存する第三記憶手順、  前記修正濃度データを合成データまたは図形以外の領域がない場合の第一データにオーバーライトして修正合成データとする第三演算手順、  および、前記第三演算手段により修正合成データが生成された場合には修正合成データを確認用ディスプレイに画像表示する修正合成データ出力手順をコンピュータに実行させるためのプログラムである。
【００２３】
【００２４】
【発明の実施の形態】
以下、本発明を実施の形態及び図面に基づいて、更に詳しく説明する。ここで使用する図面は、図１乃至図２である。図１は、本願発明の第一の実施の形態を示すためのフローチャートである。図２は、本願発明の第二の実施の形態を示すためのフローチャートである。
【００２５】
（第一の実施の形態）
図１に基づいて、第一の実施の形態について説明する。
この実施の形態は、目的書類に表された画像情報を電子化するための画像処理の手順を示している。本実施の形態のハードウエアとしては、スキャナー、そのスキャナーを制御するＣＰＵ、スキャナーから取り込んだデータを表示するディスプレイなどを備えている。
まず、スキャン濃度の初期設定値を入力する入力手順、次に、その入力手順によってテキスト領域に適した濃度Ｘに設定したスキャン濃度にて目的書類を電子化する第一電子化手順、次に、その第一電子化手順にて電子化されたデータをビットマップによるテキスト濃度データＤ１とし、一旦ファイルＡに保存する第一記憶手順とを経る。
【００２６】
初期設定値としては、テキスト用となる濃い濃度Ｘを選択する。目的書類のテキストが色柄文字などの場合には、更に濃い濃度を選択する場合もある。この選択は、画像処理を行う者が行う場合と、自動で行う場合とがあることとする。画像処理を行う者が行う場合は、ディスプレイ上にて行う。第一記憶手順で記憶されたテキスト濃度データＤ１に対しては、第一演算手順によってテキスト領域と他の領域とを分解する。
そして、テキスト以外の領域がある場合に、第二電子化手順において当該領域に適したスキャン濃度にて目的書類を電子化する。そうして電子化されたデータを非テキスト濃度データＤ２とし、一旦ＣＰＵのメモリに保存する。具体的には、写真領域に対しては写真領域用の濃度Ｙで、図形領域に対しては図形領域用の濃度Ｚで、目的書類をもう一度スキャンして読み込む。
そして、第二演算手順にて、ファイルＡのテキスト以外の領域に対して、写真領域または図形領域のデータをオーバーライトし、合成データＤ３とし、一旦ＣＰＵのメモリに保存する。このとき、目的書類全体を電子化した後にテキスト以外の領域を切り取って非テキスト濃度データＤ２としてから合成データＤ３を作成してもよいし、テキスト以外の領域のみを切り取って非テキスト濃度データＤ２としてから合成データＤ３を作成してもよい。
【００２７】
テキスト以外の領域がない場合には、第二電子化手順および第二演算手順は飛ばして次に進む。次に、ファイルＡのテキスト濃度データＤ１または第二電子化手順を踏んでオーバーライトされた合成データＤ３を、確認用ディスプレイに表示する。合成データＤ３の場合、領域の境界は、有色線を用いて区別しておく。領域の区別の手段として、網掛け表示などを用いることもできる。
【００２８】
そして、確認用ディスプレイにて表示された画像の濃さが適当である場合には、データを保存し、その後の処理を行う。適当でない場合には、第三電子化手順によって、領域およびスキャン濃度を再指定して目的書類を電子化する。この第三電子化手順にて電子化したデータを修正濃度データＤ４とし、一旦メモリへ保存する。そして、その修正濃度データＤ４を、テキスト濃度データＤ１または合成データＤ３にオーバーライトして修正合成データＤ５とする。
【００２９】
この修正合成データＤ５もまたディスプレイへ表示して確認し、適当でない場合には、第三電子化手順によって、領域およびスキャン濃度を再指定して目的書類を電子化する操作を繰り返す。確認用ディスプレイにて表示された画像の濃さが適当である場合には、データを保存し、その後の処理を行う。なお、修正濃度データＤ４および修正合成データＤ５を作成するのを一回だけとし、修正合成データＤ５はディスプレイへ表示しない、という設定を行うこともできる。
【００３０】
最終的なデータが作成できたら、例えば、画像として認識した文字部分を文字変換ソフトを用いてテキストデータに変換する、といった操作を行う。上記のような画像処理手順によれば、確認用ディスプレイによる確認が行えるので、写真または図形と文字とが混在する書類の読み取りを、領域毎に適した濃度で行うことが可能となる。
【００３１】
（第二の実施の形態）
図２に基づいて、第二の実施の形態について、第一の実施の形態との相違点を中心に説明する。
第二の実施の形態が第一の実施の形態と異なるのは、濃度初期値設定の際に、図形領域に適した濃度Ｚにて目的書類を入力して第一データＤ１１とした点、および第一演算手順によってテキスト領域と他の領域とを分解して図形以外の領域がある場合に、第二電子化手順において当該領域に適したスキャン濃度にて目的書類を電子化し、第二データＤ２２とした点である。
目的書類に図形が多いことが予めわかっている場合には、ハードウエアの性能などを考慮した場合、第一データＤ１１の後に取り込まれたり作成されたりする第二データＤ２２、合成データＤ３、修正合成データＤ５などを作成する手順が合理化される場合があるからである。
【００３２】
（プログラムを記録した媒体）
第一の実施の形態および第二の実施の形態にて示した手順を、コンピュータスキャナーおよびディスプレイの制御のためのプログラムとして提供することができる。そして、そのプログラムは、フロッピーディスク、ＣＤ−ＲＯＭ、ＭＯなどに記録して運搬、販売などを行うことができる。また、これらのプログラムを、通信回線を介して配布することもできる。
【００３３】
【発明の効果】
ここで、請求項１ないし請求項３に記載の発明は、写真または図形と文字とが混在する書類の読み取りを、領域毎に適した濃度で行うことができるスキャナー装置を提供することができた。
また、請求項４ないし請求項５に記載の発明は、写真または図形と文字とが混在する書類の読み取りを、領域毎に適した濃度で行うことができる画像スキャン方法を提供することができた。
【００３４】
また、請求項６ないし請求項７に記載の発明は、写真または図形と文字とが混在する書類の読み取りを、領域毎に適した濃度で行うことができる画像スキャン方法を実現するプログラムを記録した記録媒体を提供することができた。
【図面の簡単な説明】
【図１】  本願発明の第一の実施の形態を示すためのフローチャートである。
【図２】  本願発明の第二の実施の形態を示すためのフローチャートである。
【符号の説明】
Ｄ１  テキスト濃度データ      Ｄ１１  第一データ
Ｄ２  非テキスト濃度データ    Ｄ２２  第二データ
Ｄ３  合成データ              Ｄ４    修正濃度データ
Ｄ５  修正合成データ
【図１】
0004055966.tif 000002
【図２】
0004055966.tif 000003